【事件の表示】
　平成　３年特許願第１７８８３４号「弾球遊技機」拒絶査定に対する審判事件［平成　５年　１月　８日出願公開、特開平　５−　　　１７８］について、次のとおり審決する。
【結　論】
　本件審判の請求は、成り立たない。
【理　由】
〔この出願の経緯及びこの出願の発明〕
　この出願は、平成３年６月２４日に出願されたものであって、その請求項１に係る発明は、平成１４年３月１１日付け手続補正によって補正された明細書の特許請求の範囲の請求項１に記載されたとおりの、
「遊技領域に設けられる作動口への打玉の通過により複数の表示結果を導出することが可能な可変表示装置を備えた弾球遊技機において、
　前記作動口を単一の作動口で構成し、その単一の前記作動口と前記可変表示装置の表示部と前記作動口へ入賞した打玉数を記憶表示する記憶表示器と前記作動口に入賞した打玉を検出するスイッチとを同一の取付基板に設けると共に前記単一の作動口の入口を前記可変表示装置の表示部の上方であって前記取付基板の中央位置に設け且つ前記記憶表示器を前記単一の作動口の入口と前記可変表示装置の表示部との間に設けたことを特徴とする弾球遊技機」
にあるものと認められる。
〔引用例に記載された発明〕
　これに対し、当審の拒絶理由において引用された、この出願の出願前に国内において頒布された刊行物である特開平１−３０３１７３号公報（以下、引用例１という）には、
特に、
（１）「打込玉が入賞領域３ａ〜３ｃのいずれかへ入賞すると」（第７頁右下欄第４，５行）、「入賞玉によって・・・可変表示装置５０を可変表示できる条件の定められた入賞領域３ａないし３ｃ」（第３頁左下欄第１０〜１２行）、「入賞領域を通過してきた入賞玉」（第４頁右上欄第１８行）、「特定遊技状態は、回転ドラム表示機構５０Ａの各列のドラムで表示される識別情報の組合わせだけによって決められるようにしてもよい」（第６頁右下欄第８〜１０行）及び「各列の回転ドラムの識別情報の組合わせを検出することができる」（第８頁右下欄第１０，１１行）の記載から、
パチンコ遊技機が、遊技盤上に設けられる入賞領域３ａ〜３ｃへの打込玉の通過により回転ドラム表示機構５０Ａの各列の回転ドラムの識別情報の組合わせを検出することができる可変入賞球・可変表示装置３０を備えているものと認められること、
（２）「取付板３１には開口部３２が穿設されている」（第４頁右下欄第１８行）、「開口部３２は、玉の入賞容易な入賞領域４３となる」（第５頁右上欄第１６，１７行）、「入賞領域４３へ入賞した玉を検出するための入賞玉検出手段の一例の検出スイッチ４４ｂが設けられている」（第５頁左下欄第９〜１１行）、「取付板３１の最上部には、枠部材３４が取付けられている。枠部材３４には・・・玉受板３４１が取付けられている。玉受板３４１で受けられた玉は、入賞領域３ａとなる孔を介して裏面へ導かれる」（第５頁左上欄第４〜１０行）、第３図（第１３頁）、第４Ａ図（第１３頁）及び第４Ｂ図（第１４頁）の記載から、
パチンコ遊技機が、入賞領域３ａと可変入賞球・可変表示装置３０の表示窓３３ａ〜３３ｃと入賞領域４３となる開口部３２と該開口部３２に入賞した打込玉を検出するスイッチ４４ｂとを同一の取付板３１に、前記入賞領域３ａは前記取付板３１に取付けられた枠部材３４を介して、設けると共に前記入賞領域３ａの入口を前記可変入賞球・可変表示装置３０の表示窓３３ａ〜３３ｃの上方であって前記取付板３１の中央位置に設けているものと認められること、
（３）「入賞領域３ａ、３ｂ、３ｃの形成された遊技盤１の裏面側には・・・入賞領域３ａまたは３ｂへの入賞玉を検出するための入賞玉検出器２２ａが・・・入賞領域３ｃへの入賞玉を検出するための入賞玉検出器２２ｂが取付けられている」（第４頁右上欄第１６行〜左下欄第４行）の記載から、
入賞領域３ａ〜３ｃに入賞した打込玉を検出する入賞玉検出器２２ａ、２２ｂが遊技盤の裏面側に設けられているものと認められること、
からみて、
「遊技盤１上に設けられる入賞領域３ａ〜３ｃへの打込玉の通過により回転ドラム表示機構５０Ａの各列の回転ドラムの識別情報の組合わせを検出することができる可変入賞球・可変表示装置３０を備えたパチンコ遊技機において、
　前記入賞領域３ａと前記可変入賞球・可変表示装置３０の表示窓３３ａ〜３３ｃと入賞領域４３となる開口部３２と該開口部３２に入賞した打込玉を検出するスイッチ４４ｂとを同一の取付板３１に、前記入賞領域３ａは前記取付板３１に取付けられた枠部材３４を介して、設けると共に前記入賞領域３ａの入口を前記可変入賞球・可変表示装置３０の表示窓３３ａ〜３３ｃの上方であって前記取付板３１の中央位置に設け、入賞領域３ａ〜３ｃに入賞した打込玉を検出する入賞玉検出器２２ａ、２２ｂを遊技盤の裏面側に設けたパチンコ遊技機」を構成とする発明が、
同じくこの出願の出願前に国内において頒布された刊行物である特開昭５６−８０２８１号公報（以下、引用例２という）には、
特に、
（１）「打込玉が前記セーフ孔２へ入賞すると・・・特賞玉検出出力を導出して回転ドラム駆動回路・・・に駆動指令信号を与える」（第７頁左上欄第１６〜２０行）、「回転ドラム表示機構５０で表示される各列の絵模様または識別情報の組合せ状態」（第５頁右上欄第１９行〜左下欄第１行）及び「飾り枠４１の窓に表示されているドラムの識別情報の組合せが検出できる」（第８頁左上欄第７〜９行）の記載から、
パチンコ遊技機が、遊技盤１上に設けられるセーフ孔２への打込玉の入賞により回転ドラム表示機構５０で表示される各列の識別情報の組合わせが検出できる可変表示手段４０を備えているものと認められること、
（２）第１図（第１１頁）及び第２図（第１１頁）の記載から、
パチンコ遊技機が、セーフ孔２を単一のセーフ孔２で構成し、該単一のセーフ孔２の入口を可変表示手段４０の飾り枠４１の窓の上方であって遊技盤１の中央位置に設けているものと認められること、
からみて、
「遊技盤１上に設けられるセーフ孔２への打込玉の入賞により回転ドラム表示機構５０で表示される各列の識別情報の組合わせが検出できる可変表示手段４０を備えたパチンコ遊技機において、
　前記セーフ孔２を単一のセーフ孔２で構成し、該単一のセーフ孔２の入口を前記可変表示手段４０の飾り枠４１の窓の上方であって前記遊技盤１の中央位置に設けたパチンコ遊技機」を構成とする発明が、
同じくこの出願の出願前に国内において頒布された刊行物である特開平２−３０９９８５号公報（以下、引用例３という）には、
「遊技領域２に設けられる始動入賞口６，８への打球の入賞により表示の変化を開始し順に停止させる可変表示装置２０を備えたパチンコ遊技機において、
　単一の天入賞口２１３と前記可変表示装置２０の開口部２１１と前記始動入賞口６，８へ入賞した打球数を記憶表示する入賞未処理個数記憶表示ランプ２３２とを同一の前枠２１０に設けると共に前記単一の天入賞口２１３の入口を前記可変表示装置２０の開口部２１１の上方であって前記前枠２１０の中央位置に設け且つ前記入賞未処理個数記憶表示ランプ２３２を前記単一の天入賞口２１３の入口と前記可変表示装置２０の開口部２１１との間に設けたパチンコ遊技機」を構成とする発明が、
同じくこの出願の出願前に国内において頒布された刊行物である特開昭５９−６４０７９号公報（以下、引用例４という）には、
「遊技盤１２上に設けられる特賞領域の一例のセーフ孔１３ａ〜１３ｃへの打込玉の通過により複数桁の数字を順次的に変化させ停止させる可変入賞球装置３０を備えたパチンコ遊技機において、
　入賞孔３１ａ〜３１ｃと前記可変入賞球装置３０の窓３１ｄとを同一の取付基板３１に設けると共に前記入賞孔３１ａ〜３１ｃの入口を前記可変入賞球装置３０の窓３１ｄの上方であって前記取付基板３１の中央位置に設けたパチンコ遊技機」を構成とする発明が、
同じくこの出願の出願前に国内において頒布された刊行物である特開昭６２−２３３１８２号公報（以下、引用例５という）には、
「遊技部２１に設けられる始動入賞口２６〜２８への打込球の入賞により複数の識別情報を切換え表示させると共に停止させるセンター役物１４を備えたパチンコ機において、
　入賞口２６と前記センター役物１４の窓枠部５５と前記始動入賞口２６〜２８へ入賞した打込球数を記憶表示する始動入賞記憶表示灯７２とを同一の板部５４に設けると共に前記入賞口２６の天穴５６を前記センター役物１４の窓枠部５５の上方であって前記板部５４の中央位置に設け且つ前記始動入賞記憶表示灯７２を前記センター役物１４の窓枠部５５の下方に設けたパチンコ機」を構成とする発明が、
同じくこの出願の出願前に国内において頒布された刊行物である特開平２−１４２５８０号公報（以下、引用例６という）には、
「遊技部３に設けられる特定入賞口６ａ〜６ｃへの打球の入賞により左、中、右のデジタルが回転を始め次に停止する可変表示装置４を備えたパチンコ機において、
　単一の天入賞口７と前記可変表示装置４の開口部４０と前記特定入賞口６ａ〜６ｃへ入賞した打球数を記憶表示する記憶個数表示部４６とを同一の主基板３３に設けると共に前記単一の天入賞口７の入口を前記可変表示装置４の開口部４０の上方であって前記主基板３３の中央位置に設け且つ前記記憶個数表示部４６を前記可変表示装置４の開口部４０に設けたパチンコ機」を構成とする発明が、
同じくこの出願の出願前に国内において頒布された刊行物である特開平２−１８９１７５号公報（以下、引用例７という）には、
「遊技領域１６に設けられる始動入賞口２２ａ、２２ｂへの打玉の入賞により回転ドラム１８ａ〜１８ｃの回転が許容され組み合わせられる可変表示装置１７を備えた弾球遊技機において、
　単一の２倍入賞口２１と前記可変表示装置１７の回転ドラム１８ａ〜１８ｃと前記始動入賞口２２ａ、２２ｂへ入賞した打玉数を記憶表示する入賞個数表示ＬＥＤ１９とを可変表示装置１７に設けると共に前記単一の２倍入賞口２１の入口を前記可変表示装置１７の回転ドラム１８ａ〜１８ｃの上方であって前記可変表示装置１７の中央位置に設け且つ前記入賞個数表示ＬＥＤ１９を前記単一の２倍入賞口２１の入口と前記可変表示装置１７の回転ドラム１８ａ〜１８ｃとの間に設けた弾球遊技機」を構成とする発明が、
同じくこの出願の出願前に国内において頒布された刊行物である特開平２−１９５９７７号公報（以下、引用例８という）には、
「遊技盤面１００上に設けられる始動口８〜１０への遊技球の入賞により左中右下図柄の変動処理と変動停止処理が行われるドットマトリクス型表示器１５を備えたパチンコ遊技機において、
　天、天下左右入賞口１〜３を前記遊技盤面１００中央上部に設け、前記ドットマトリクス型表示器１５と前記始動口８〜１０へ入賞した遊技球数を記憶表示する記憶数表示ＬＥＤ１４とを同一の基板２１に設けると共に前記天、天下左右入賞口１〜３の入口を前記ドットマトリクス型表示器１５の上方であって前記遊技盤面１００の中央位置に設け且つ前記記憶数表示ＬＥＤ１４を前記天、天下左右入賞口１〜３の入口と前記ドットマトリクス型表示器１５との間に設けたパチンコ遊技機」を構成とする発明が、
それぞれ記載されているものと認められる。
〔この出願の請求項１に係る発明と引用例に記載された発明との対比〕
　この出願の請求項１に係る発明（前者）と引用例１に記載された発明（後者）とを対比すると、
後者の
「遊技盤１上」、「入賞領域３ａ〜３ｃ」、「打込玉」、「回転ドラム表示機構５０Ａの各列の回転ドラムの識別情報の組合わせを検出することができる」、「可変入賞球・可変表示装置３０」、「パチンコ遊技機」、「表示窓３３ａ〜３３ｃ」、「取付板３１」及び「入賞領域３ａ〜３ｃに入賞した打込玉を検出する入賞玉検出器２２ａ、２２ｂ」
がそれぞれの機能に照らし、それぞれ
前者の
「遊技領域」、「作動口」、「打玉」、「複数の表示結果を導出することが可能な」、「可変表示装置」、「弾球遊技機」、「表示部」、「取付基板」及び「作動口に入賞した打玉を検出するスイッチ」
に相当するものと認められるから、
両者は、
「遊技領域に設けられる作動口への打玉の通過により複数の表示結果を導出することが可能な可変表示装置を備えた弾球遊技機において、
　前記作動口と前記可変表示装置の表示部と入賞した打玉を検出するスイッチとを同一の取付基板に、直接又は間接に、設けると共に前記作動口の入口を前記可変表示装置の表示部の上方であって前記取付基板の中央位置に設けた弾球遊技機」である
点において一致し、
（１）前者においては、作動口が単一の作動口で構成され、該作動口が直接取付基板に設けられている、
のに対し、
後者においては、作動口が複数の作動口で構成され、複数の作動口の１つが枠部材３４を介して、すなわち間接に、取付基板に設けられている、
（２）前者が、作動口へ入賞した打玉数を記憶表示する記憶表示器を、取付基板の作動口の入口と可変表示装置の表示部との間に設けている、
のに対し、
後者が、かかる構成を備えていない、
（３）前者においては、スイッチが作動口に入賞した打玉を検出する、
のに対し、
後者においては、スイッチが開口部３２に入賞した打玉を検出し、作動口に入賞した打玉を検出するスイッチが遊技盤の裏面側に設けられている、
点において相違するものと認められる。
〔相違点についての検討〕
　そこで、前記相違点（１）についてみるに、
引用例２に記載された発明の
「遊技盤１上」、「セーフ孔２」、「打込玉」、「入賞」、「回転ドラム表示機構５０で表示される各列の識別情報の組合わせが検出できる」、「可変表示手段４０」、「パチンコ遊技機」及び「飾り枠４１の窓」
がそれぞれの機能に照らし、それぞれ
前者の
「遊技領域」、「作動口」、「打玉」、「通過」、「複数の表示結果を導出することが可能な」、「可変表示装置」、「弾球遊技機」及び「表示部」
に相当するものと認められるから、
引用例２に記載された発明には、
「遊技領域に設けられる作動口への打玉の通過により複数の表示結果を導出することが可能な可変表示装置を備えた弾球遊技機において、
　前記作動口を単一の作動口で構成し、該単一の作動口の入口を前記可変表示装置の表示部の上方であって弾球遊技機の中央位置に設けた弾球遊技機」という構成、
すなわち、
前記相違点（１）の前者の構成の一部である、「作動口が単一の作動口で構成され」る、という構成、
が備わっているものと認められる。
　ところで、前記相違点（１）の前者の構成の残部である、「作動口が直接取付基板に設けられ」る、という構成についてみるに、
そもそも後者には、入賞口である開口部３２が直接取付基板に設けられるという構成が、
又、
引用例３に記載された発明の
「始動入賞口６，８」、「打球」、「入賞」、「表示の変化を開始し順に停止させる」、「パチンコ遊技機」、「開口部２１１」、「入賞未処理個数記憶表示ランプ２３２」及び「前枠２１０」
がそれぞれの機能に照らし、それぞれ
前者の
「作動口」、「打玉」、「通過」、「複数の表示結果を導出することが可能な」、「弾球遊技機」、「表示部」、「記憶表示器」及び「取付基板」
に相当するものと認められるから、
引用例３に記載された発明には、
「遊技領域に設けられる作動口への打玉の通過により複数の表示結果を導出することが可能な可変表示装置を備えた弾球遊技機おいて、
　単一の天入賞口２１３と前記可変表示装置の表示部と前記作動口へ入賞した打玉数を記憶表示する記憶表示器とを同一の取付基板に設けると共に前記単一の天入賞口２１３の入口を前記可変表示装置の表示部の上方であって前記取付基板の中央位置に設け且つ前記記憶表示器を前記単一の天入賞口２１３の入口と前記可変表示装置２０の表示部との間に設けた弾球遊技機」という構成が、
又、
引用例４に記載された発明の
「遊技盤１２上」、「特賞領域の一例のセーフ孔１３ａ〜１３ｃ」、「打込玉」、「複数桁の数字を順次的に変化させ停止させる」、「可変入賞球装置３０」、「パチンコ遊技機」及び「窓３１ｄ」
がそれぞれの機能に照らし、それぞれ
前者の
「遊技領域」、「作動口」、「打玉」、「複数の表示結果を導出することが可能な」、「可変表示装置」、「弾球遊技機」及び「表示部」
に相当するものと認められるから、
引用例４に記載された発明には、
「遊技領域に設けられる作動口への打玉の通過により複数の表示結果を導出することが可能な可変表示装置を備えた弾球遊技機において、
　入賞孔３１ａ〜３１ｃと前記可変表示装置の表示部とを同一の取付基板に設けると共に前記入賞孔３１ａ〜３１ｃの入口を前記可変表示装置の表示部の上方であって前記取付基板の中央位置に設けた弾球遊技機」という構成が、
又、
引用例５に記載された発明の
「遊技部２１」、「始動入賞口２６〜２８」、「打込球」、「入賞」、「識別情報を切換え表示させると共に停止させ」、「センター役物１４」、「パチンコ機」、「窓枠部５５」、「始動入賞記憶表示灯７２」、「板部５４」及び「天穴５６」
がそれぞれの機能に照らし、それぞれ
前者の
「遊技領域」、「作動口」、「打玉」、「通過」、「表示結果を導出することが可能な」、「可変表示装置」、「弾球遊技機」、「表示部」、「記憶表示器」、「取付基板」及び「入口」
に相当するものと認められるから、
引用例５に記載された発明には、
「遊技領域に設けられる作動口への打玉の通過により複数の表示結果を導出することが可能な可変表示装置を備えた弾球遊技機において、
　入賞口２６と前記可変表示装置の表示部と前記作動口へ入賞した打玉数を記憶表示する記憶表示器とを同一の取付基板に設けると共に前記入賞口２６の入口を前記可変表示装置の表示部の上方であって前記取付基板の中央位置に設け且つ前記記憶表示器を前記可変表示装置の表示部の下方に設けた弾球遊技機」という構成が、
又、
引用例６に記載された発明の
「遊技部３」、「特定入賞口６ａ〜６ｃ」、「打球」、「入賞」、「左、中、右のデジタルが回転を始め次に停止する」、「パチンコ機」、「開口部４０」、「記憶個数表示部４６」及び「主基板３３」
がそれぞれの機能に照らし、それぞれ
前者の
「遊技領域」、「作動口」、「打玉」、「通過」、「複数の表示結果を導出することが可能な」、「弾球遊技機」、「表示部」、「記憶表示器」及び「取付基板」
に相当するものと認められるから、
引用例６に記載された発明には、
「遊技領域に設けられる作動口への打玉の通過により複数の表示結果を導出することが可能な可変表示装置を備えた弾球遊技機において、
　単一の天入賞口７と前記可変表示装置の表示部と前記作動口へ入賞した打玉数を記憶表示する記憶表示器とを同一の取付基板に設けると共に前記単一の天入賞口７の入口を前記可変表示装置の表示部の上方であって前記取付基板の中央位置に設け且つ前記記憶表示器を前記可変表示装置の表示部に設けた弾球遊技機」という構成が、
それぞれ備わっているものと認められ、
したがって、
「入賞口乃至入賞孔が直接取付基板に設けられ」る、という構成は、
例えば、後者及び引用例３乃至６に記載された各発明にも備わっているように、従来周知の技術であるものと認められる。
　そうすると、後者に、引用例２に記載された発明を適用し、引用例２に記載された発明の作動口が遊技盤の中央位置に設けられたものだけである、すなわち、単一のものである、ことに鑑み、後者の作動口を、やはり、遊技盤の中央位置にある間接に取付基板に設けられたものだけとする、すなわち、単一のものとする、ことは、当業者が格別創意工夫を要することではないというべきであり、
且つ、作動口も入賞口乃至入賞孔の一種であることを考慮すると、入賞口乃至入賞孔が直接取付基板に設けられるという、例えば、後者及び引用例３乃至６に記載された各発明にも備わっている従来周知の技術、を適用して、後者の作動口を直接取付基板に設けることは、当業者が格別創意工夫を要することではないというべきである。
　又、前記相違点（１）の前者の効果が、後者、引用例２に記載された発明並びに例えば後者及び引用例３乃至６に記載された各発明にも備わっている従来周知の技術の各効果の総和以上の格別なものとも認められない。
　前記相違点（２）についてみるに、
引用例７に記載された発明の
「始動入賞口２２ａ、２２ｂ」、「入賞」、「回転ドラム１８ａ〜１８ｃの回転が許容され組み合わせられる」及び「入賞個数表示ＬＥＤ１９」
がそれぞれの機能に照らし、それぞれ
前者の
「作動口」、「通過」、「複数の表示結果を導出することが可能な」及び「記憶表示器」
に相当するものと認められるから、
引用例７に記載された発明には、
「遊技領域に設けられる作動口への打玉の通過により複数の表示結果を導出することが可能な可変表示装置を備えた弾球遊技機において、
　単一の２倍入賞口２１と前記可変表示装置の回転ドラム１８ａ〜１８ｃと前記作動口へ入賞した打玉数を記憶表示する記憶表示器とを可変表示装置に設けると共に前記単一の２倍入賞口２１の入口を前記可変表示装置の回転ドラム１８ａ〜１８ｃの上方であって前記可変表示装置の中央位置に設け且つ前記記憶表示器を前記単一の２倍入賞口２１の入口と前記可変表示装置の回転ドラム１８ａ〜１８ｃとの間に設けた弾球遊技機」という構成が、
又、
引用例８に記載された発明の
「遊技盤面１００上」、「始動口８〜９」、「遊技球」、「入賞」、「左中右下図柄の変動処理と変動停止処理が行われる」、「ドットマトリクス型表示器１５」、「パチンコ遊技機」、「記憶数表示ＬＥＤ１４」及び「基板２１」
がそれぞれの機能に照らし、それぞれ
前者の
「遊技領域」、「作動口」、「打玉」、「通過」、「複数の表示結果を導出することが可能な」、「可変表示装置」、「弾球遊技機」、「記憶表示器」及び「取付基板」
に相当するものと認められるから、
引用例８に記載された発明には、
「遊技領域に設けられる作動口への打玉の通過により複数の表示結果を導出することが可能な可変表示装置を備えた弾球遊技機において、
　天、天下左右入賞口１〜３を前記遊技領域中央上部に設け、前記可変表示装置と前記作動口へ入賞した打玉数を記憶表示する記憶数表示器とを同一の取付基板に設けると共に前記天、天下左右入賞口１〜３の入口を前記可変表示装置の上方であって前記遊技領域の中央位置に設け且つ前記記憶数表示器を前記天、天下左右入賞口１〜３の入口と前記可変表示装置との間に設けた弾球遊技機」という構成が、
それぞれ備わっているものと認められ、
したがって、
可変表示装置を備える弾球遊技機において、記憶表示器を設けることは、例えば、既述した引用例３，５及び６に記載された各発明にも、又、引用例７及び８に記載された各発明にも、備わっているように、従来周知の技術であるものと認められる。
　又、可変表示装置を備える弾球遊技機において、記憶表示器を設ける個所として、入賞口と可変表示装置との間を選ぶことも、例えば、既述した引用例３に記載された発明にも、又、引用例７及び８に記載された各発明にも、備わっているように、従来周知の技術であるものと認められる。
　そうすると、可変表示装置を備える弾球遊技機において、記憶表示器を設けること、及び、記憶表示器を設ける個所として入賞口と可変表示装置との間を選ぶこと、が何れも従来周知の技術であることに鑑み、後者にこれら従来周知の技術を適用し、後者において、記憶表示器を設け、且つ、作動口も入賞口の一種であることを考慮すると、その設置個所として、入賞口の一種である作動口の入口と可変表示装置の表示部との間を選ぶことは、当業者が格別創意工夫を要することではないというべきである。
　又、前記相違点（２）の前者の効果が、後者、例えば引用例３，５乃至８に記載された各発明にも備わっている従来周知の技術、並びに、例えば引用例３，７及び８に記載された各発明にも備わっている従来周知の技術の各効果の総和以上の格別なものとも認められない。
　前記相違点（３）についてみるに、
後者においては、「作動口に入賞した打玉を検出するスイッチ」が遊技盤の裏面側に設けられていて「取付基板」に設けられていない。しかし、遊技盤の裏面側に設けられている「作動口に入賞した打玉を検出するスイッチ」を「取付基板」に設けることができない技術的理由は特に認められない。審判請求人は、平成１４年３月１１日付け意見書において、「既に複数の電気的部品が取り付けられている取付基板に新たな電気的部品であるスイッチを取り付けようとすることは、当業者にとって容易に行うことができる事項ではない」旨主張する。しかし、スイッチを容易に取り付けられない事情があって、スイッチを設けるにつき、格別の工夫をしたという構成が認められればともかく、そのような構成は特に認められないから、かかる主張を採用することはできない。しかも、「作動口に入賞した打玉を検出するスイッチ」ではないが、「入賞した打玉を検出するスイッチ」を「取付基板」に設けるという技術は後者自体にそもそも備わっているのである。
　そうすると、後者に、後者自体にそもそも備わっている技術を適用し、遊技盤の裏面側に設けられている後者の「作動口に入賞した打玉を検出するスイッチ」を「取付基板」に設けること、すなわち、後者において、相違点（３）の前者の構成を採用すること、は、当業者が格別創意工夫を要することではないというべきである。
　又、前記相違点（３）の前者の効果が、後者及び後者自体にそもそも備わっている技術の各効果の総和以上の格別なものとも認められない。
〔まとめ〕
　したがって、前者は、後者に、引用例２に記載された発明、引用例３乃至６にも記載されている従来周知の技術、引用例３，５乃至８に記載された各発明にも備わっている従来周知の技術、例えば引用例３，７及び８に記載された各発明にも備わっている従来周知の技術並びに後者自体にそもそも備わっている技術を適用することにより、当業者が容易に発明をすることができたものというべきであるから、特許法第２９条第２項の規定により特許を受けることができない。
　よって、結論のとおり審決する。